(57)【特許請求の範囲】
【請求項１】
プラントの状態を把握し、前記プラントを構成する機器を操作するために必要なプラント情報を表示するプラント情報表示装置であって、
入力部と、
前記入力部を用いて前記プラントにおける関心領域及びデフォルメ条件を入力し、前記入力部により入力された前記関心領域及び前記デフォルメ条件に基づきデフォルメ対象領域を特定する領域判定部と、
前記領域判定部により特定された前記デフォルメ対象領域に基づいて、図面を複数の領域に分割して前記デフォルメ対象領域と非デフォルメ対象領域とに分けて管理する領域分割部と、
前記デフォルメ対象領域及び前記非デフォルメ対象領域を、それぞれ変形させる図面変形部と、
前記図面変形部により変形された前記デフォルメ対象領域及び前記非デフォルメ対象領域を前記図面の出力データとして出力する図面出力部と、
前記図面出力部から出力された前記出力データを表示する表示部とを、備え、
前記図面変形部は、
前記機器の操作設定画面や機器パラメータ表示画面を含むプラント運転に必要な複数の画面が表示される追加オブジェクト表示領域と前記図面とを重畳表示する場合、前記追加オブジェクト表示領域に基づき、前記追加オブジェクト表示領域内に含まれる図形要素を抽出し、前記追加オブジェクト表示領域の中心の近くに存在する前記抽出された図形要素から順に、前記追加オブジェクト表示領域外に移動させると共に、
前記プラント情報表示装置の表示画面内に表示が収まらない場合には、前記非デフォルメ対象領域を複数の領域に分け、前記デフォルメ対象領域及び前記非デフォルメ対象領域に対して、隣接する領域間においてトポロジーが保持されるように、前記非デフォルメ対象領域を複数に分けた前記領域を尺度変更および移動し、
前記図面変形部による前記変形の動作により、隣接する領域間で不連続となる部分が生じたときには、前記図面変形部は、
位相情報の論理的な接続情報に基づいて、前記非デフォルメ対象領域を複数に分けた前記領域間、及び前記非デフォルメ対象領域を複数に分けた前記領域と前記デフォルメ対象領域との間を、元の前記図面と同様のトポロジーを保持するように前記図形要素で補間接合する、
ことを特徴とするプラント情報表示装置。
【請求項２】
請求項１に記載のプラント情報表示装置であって、
前記領域判定部は、前記入力部を用いて前記デフォルメ条件を指定できることを特徴とするプラント情報表示装置。
【請求項３】
請求項１又は請求項２に記載のプラント情報表示装置であって、
前記デフォルメ条件は、前記関心領域の前記機器のみをデフォルメの対象とすることを特徴とするプラント情報表示装置。
【請求項４】
請求項１又は請求項２に記載のプラント情報表示装置であって、
前記デフォルメ条件は、前記関心領域の前記機器と、当該機器の操作により影響が及ぶ範囲とをデフォルメの対象とすることを特徴とするプラント情報表示装置。
【請求項５】
請求項４に記載のプラント情報表示装置であって、
前記図面変形部は、前記関心領域の前記機器、及び前記関心領域の前記機器の操作により影響が及ぶ範囲以外について縮約して抽象化した図形に変更することを特徴とするプラント情報表示装置。
【請求項６】
請求項１又は請求項２に記載のプラント情報表示装置であって、
前記デフォルメ条件は、前記関心領域の前記機器と、プラント状態や運転員の作業履歴に基づき次に作業が予測される範囲とをデフォルメの対象とすることを特徴とするプラント情報表示装置。
【請求項７】
請求項１又は請求項２に記載のプラント情報表示装置であって、
前記機器の操作設定画面や機器パラメータ表示画面を含むプラント運転に必要な複数の画面と前記図面とを共に表示する場合、前記図面変形部は、前記デフォルメ対象領域を表示可能なサイズに変更した後に、前記デフォルメ条件に基づきデフォルメすることを特徴とするプラント情報表示装置。
【請求項８】
請求項１乃至請求項７のいずれか１つに記載のプラント情報表示装置であって、
前記領域分割部は、前記関心領域の前記機器に対応する設備シンボルを含む最小の閉矩形領域から抽出される２本の平行な線分について、それぞれの端点を延長することにより仮想的に生成される仮想線分と、他の設備シンボルとの位置関係に基づいて、前記設備シンボルが分断されないように前記図面を前記デフォルメ対象領域と前記非デフォルメ対象領域とに分けることを特徴とするプラント情報表示装置。
【請求項９】
請求項１乃至請求項７のいずれか１つに記載のプラント情報表示装置であって、
前記領域分割部は、前記関心領域の前記機器、当該機器に直接接続される他の機器、及び当該機器と前記他の機器とを繋ぐ配管のそれぞれを閉矩形領域として指定すると共に、前記閉矩形領域の和集合を求め、当該和集合の領域を前記デフォルメ対象領域とすることを特徴とするプラント情報表示装置。
【請求項１０】
請求項１、請求項４、請求項５のいずれか１つに記載のプラント情報表示装置であって、
前記領域判定部は、前記図面から抽出される機器同士の論理的な接続情報を含む位相情報に基づき、前記関心領域の機器操作により影響が及ぶ範囲を特定することを特徴とするプラント情報表示装置。
【発明の詳細な説明】
【技術分野】
【０００１】
本発明は、プラント情報表示装置に係る発明であって、特に、プラントの状態を把握し、プラントを構成する機器を操作するために必要なプラント情報を表示するプラント情報表示装置に関するものである。
【背景技術】
【０００２】
従来、原子力発電プラント、火力発電プラント及び水処理プラント等のプラントシステムには、稼働しているプラントの状態を把握し、プラントを構成する機器を操作するために必要なプラント情報を表示するプラント情報表示装置が設けられている。このプラント情報表示装置に、機器の系統情報が表示されている画面に機器の操作画面を表示する場合、特許文献１では、画面のサイズに基づき系統情報の画面を縮小して、機器の操作画面と重なり合う部分がないようにして情報を隠さないよう表示している。
【０００３】
さらに、プラントの機器の系統情報と似たものとして地図データがあり、この地図データの線画をデフォルメして表示するデフォルメ地図作成装置が特許文献２に開示されている。特許文献２では、例えば、地図データに対してユーザが指定した地図描画領域内で道路を表現する図形要素の長さを変更すること、目標物と関連づけられていない道路を間引くことや、道路を表現する複数の図形要素が交わる角度を変更すること等が記載されている。
【０００４】
【特許文献１】特許第２５５５４１２号
【特許文献２】特許第３４４２２３８号
【発明の開示】
【発明が解決しようとする課題】
【０００５】
しかし、特許文献１に示すプラント情報表示装置は、機器の操作画面を表示する際、系統情報を縮小表示するため、例えば操作対象機器のマクロ的な接続関係や機器操作に伴う影響範囲等の機器の操作上重要となる情報について視認性が悪くなる問題があった。さらに、特許文献１に示すプラント情報表示装置では、系統情報を含む画面が縮小されるため、現在注視している領域や機器を画面内で認識しづらくなる問題もあった。
【０００６】
一方、特許文献２に示すデフォルメ地図作成装置では、地図データに含まれる道路情報と目標物情報を関連づける作業が必要となり、デフォルメの際は、目標物と関連づけられていない道路を表現する図形要素は間引かれることになる。しかし、原子力発電プラント、火力発電プラント及び水処理プラント等のプラントでは、特定の機器に対する操作が画面内では近接していない領域に描画された機器や、系統全体にも影響を及ぼすことがあり系統情報の一部を間引くことは操作の度合いやその適切性を判断する上で問題となる。さらに、特許文献２では、ユーザが明示的に地図の描画領域を指定することにより地図の一部分をデフォルメしているにすぎないため、プラント全体又はプラント内の特定の系統（例えば、蒸気発生系統、冷却水系統等）全体をデフォルメする場合、描画のための計算が多大となり即時性の観点で問題となる。
【０００７】
そこで、本発明は、上記の問題点を解決するためのものであり、プラント監視及びプラント機器の操作において必要となる全ての情報を隠すことなく、且つ視認性を下げることなく図面データをデフォルメして表示するプラント情報表示装置を提供することを目的とする。
【課題を解決するための手段】
【０００８】
本発明に係るプラント情報表示装置は、次の通りである。つまり、プラントの状態を把握し、前記プラントを構成する機器を操作するために必要なプラント情報を表示するプラント情報表示装置であって、入力部と、前記入力部を用いて前記プラントにおける関心領域及びデフォルメ条件を入力し、前記入力部により入力された前記関心領域及び前記デフォルメ条件に基づきデフォルメ対象領域を特定する領域判定部と、前記領域判定部により特定された前記デフォルメ対象領域に基づいて、図面を複数の領域に分割して前記デフォルメ対象領域と非デフォルメ対象領域とに分けて管理する領域分割部と、前記デフォルメ対象領域及び前記非デフォルメ対象領域を、それぞれ変形させる図面変形部と、前記図面変形部により変形された前記デフォルメ対象領域及び前記非デフォルメ対象領域を前記図面の出力データとして出力する図面出力部と、前記図面出力部から出力された前記出力データを表示する表示部とを備える。そして、前記図面変形部は、前記機器の操作設定画面や機器パラメータ表示画面を含むプラント運転に必要な複数の画面が表示される追加オブジェクト表示領域と前記図面とを重畳表示する場合、前記追加オブジェクト表示領域に基づき、前記追加オブジェクト表示領域内に含まれる図形要素を抽出し、前記追加オブジェクト表示領域の中心の近くに存在する前記抽出された図形要素から順に、前記追加オブジェクト表示領域外に移動させると共に、前記プラント情報表示装置の表示画面内に表示が収まらない場合には、前記非デフォルメ対象領域を複数の領域に分け、前記デフォルメ対象領域及び前記非デフォルメ対象領域に対して、隣接する領域間においてトポロジーが保持されるように、前記非デフォルメ対象領域を複数に分けた前記領域を尺度変更および移動し、前記図面変形部による前記変形の動作により、隣接する領域間で不連続となる部分が生じたときには、前記図面変形部は、位相情報の論理的な接続情報に基づいて、前記非デフォルメ対象領域を複数に分けた前記領域間、及び前記非デフォルメ対象領域を複数に分けた前記領域と前記デフォルメ対象領域との間を、元の前記図面と同様のトポロジーを保持するように前記図形要素で補間接合する、ことを特徴とする。
【発明の効果】
【０００９】
本発明に記載のプラント情報表示装置は、図面変形部によりデフォルメされたデフォルメ対象領域と、図面変形部により変形された非デフォルメ対象領域とを図面に記載された機器の位相関係に基づき配置し、非接合箇所を位相情報の論理的な接続情報に基づいて図形要素を補間接合することにより再度図面として再構成するので、表示領域の制約がある場合でもプラント監視及びプラント機器の操作において必要となる全ての情報を隠すことなく、且つ視認性を下げることなく図面データをデフォルメして表示することができる。
【発明を実施するための最良の形態】
【００１０】
（実施の形態１）
図１に、本実施の形態に係るプラント情報表示装置のブロック図を示す。図１に示すプラント情報表示装置は、マウス、キーボード又はタッチパネルなどの入力部１１と、入力部１１を用いて、ユーザが操作等を行おうとしている機器を含む関心領域と、当該関心領域のデフォルメ条件とを入力し、入力部により入力された関心領域及びデフォルメ条件に基づきデフォルメ対象領域を特定する領域判定部１２とを備えている。さらに、図１に示すプラント情報表示装置は、領域分割部１５と、図形変形部２１と、図面出力部１９と、表示部２０とを備える。
【００１１】
図１に示す領域分割部１５では、領域判定部１２により特定されたデフォルメ対象領域に関するデータに基づき、図面データ１３全体をデフォルメ対象領域と非デフォルメ対象領域との２種類の領域に区分けする。ここで、位相情報である機器同士の論理的な接続情報とは、例えば図面データ１３上で機器を表現するシンボル同士の接続関係や、機器を表現するシンボルとそれに接続する配管を表現した線分又は折れ線との接続関係等を指す。また、デフォルメとは、単一のシンボル又は複数シンボルについて、シンボルの拡大、色替、シンボルを構成する図形要素の太さ変更、線種変更、シンボル表示領域の網掛け表示等により強調表示することを指す。
【００１２】
さらに、デフォルメ対象領域とは、デフォルメの対象となるシンボル（単一又は複数）を含む閉領域を指す。一方、デフォルメ非対象領域とは、図面データ１３全体からデフォルメ対象領域を除いた領域を指す。デフォルメ非対象領域は、デフォルメ対象領域の位置により、単一の領域又は複数の異なる領域として表現される。
【００１３】
図形変形部２１では、デフォルメ対象領域を強調表示するデフォルメ機能と、非デフォルメ対象領域を変形する非強調データ生成機能を有する。図１に示す図形変形部２１は、領域分割部１５で特定したデフォルメ対象領域から、当該領域に含まれる図面データ１３を取り出し、当該図面データ１３に対してデフォルメ条件に従ってデフォルメを施す。一方、領域分割部１５で判定した非デフォルメ対象領域に含まれる図面データ１３を、デフォルメ後のデフォルメ対象領域の図面データ１３との整合を図るために尺度を変えたり、領域を抽象化したり等の変更を行う。
【００１４】
さらに、図１に示す図面変形部２１は、図面変形部２１に含まれるデフォルメ機能及び非強調データ生成機能のそれぞれにより加工された複数の図面データ１３を、図面データ１３に記載された機器の位相関係に基づき配置し、複数の図面データ１３を１枚の図面として再構成する。図面変形部２１は、配置する際、デフォルメ内容や尺度により隣接する図面データ１３同士が正確に接合しない場合、当該箇所（非接合箇所）を位相情報の論理的な接続情報に基づいて、接合に必要な図形要素を補間接合する。また、図面変形部２１は、必要により、接合点を合わせる尺度調整処理等を行う。
【００１５】
次に、図面出力部１９は、図面変形部２１により再構築された図面を出力データとして表示部２０へ出力する。表示部２０は、図面出力部１９からの出力データを表示するディスプレイである。なお、図面出力部１９から出力される出力データは、表示部２０に出力せずにファイルとして出力しても良い。また、図１に示す入力部１１及び出力部２０を除く各構成要素は、当該構成要素の動作をプログラムしたものをコンピュータに実装し、動作させることもできる。
【００１６】
以上のように、本実施の形態に係るプラント情報表示装置は、図１に示す構成要素を備えることで、図面内での機器同士のトポロジーを変更することなくデフォルメ表示でき、機器操作に伴い着目すべき機器等を認識しやすくなり、プラント運転作業の省力化が図れる。
【００１７】
（実施の形態２）
図２（ａ）（ｂ）に、本実施の形態に係るプラント情報表示装置で実施するデフォルメ処理の模式図を示す。図２（ａ）（ｂ）に示すデフォルメ処理は、領域判定部１２により入力されるデフォルメ条件に基づいて処理されており、当該条件は機器操作が必要な場面において、対象操作機器のみをデフォルメ表示する。
【００１８】
図２（ａ）では、機器１に並列的に接続された機器２，３と、機器４に直列的に接続された機器５，６との２つの系統が図示されている。このうち、入力部１１を用いて機器２を操作機器（関心領域）として指定すると、本実施の形態に係るプラント情報表示装置では、図２（ｂ）に示すように機器２のみをデフォルメ表示（本実施の形態では拡大表示）されている。なお、本実施の形態では、デフォルメ表示として拡大表示を用いたが、本発明はこれに限られず、例えば対象機器の表示色を変更しても良い。また、デフォルメの対象機器をより強調するために、対象機器の拡大表示に加えて、表示色の変更も併用しても良い。
【００１９】
一方、図２（ｂ）に示すように、機器２以外の領域は、非デフォルメ領域であるため、図面変形部２１の非強調データ生成機能により、図２（ａ）に比べて尺度が小さくなるように変更されている。つまり、デフォルメ領域である機器２の拡大に伴い、表示スペースを確保する等の調整が必要となるため、非デフォルメ領域の尺度を調整している。
【００２０】
以上のように、本実施の形態に係るデフォルメ条件であれば、図面内の操作対象機器のみをデフォルメ表示できるため、機器操作時の注目エリアへ視線を誘導できる利点がある。さらに、デフォルメ表示により操作機器対象を誤認識する可能性が低減される上、例えば弁の開度のような機器パラメータを誤認識することなく、パラメータ値を確認しつつ適切な機器操作を行えるなどの利点がある。
【００２１】
（実施の形態３）
図３（ａ）（ｂ）に、本実施の形態に係るプラント情報表示装置で実施するデフォルメ処理の模式図を示す。図３（ａ）（ｂ）に示すデフォルメ処理は、機器操作が必要な場面において、機器を操作したことに伴い影響を受ける範囲についてデフォルメ表示する。機器を操作したことに伴い影響を受ける事例としては、例えば弁の開度のような機器状態を変更することにより当該機器と配管で接続された機器に影響を与えることが考えられる。また、機器を操作したことに伴い影響を受ける範囲は、機器同士の論理的な接続情報を用いて、操作対象機器に直接接続される機器（以下、一次接続機器ともいう）の範囲とすることもできる。
【００２２】
図３（ａ）では、機器１に並列的に接続された機器２，３と、機器４に直列的に接続された機器５，６との２つの系統が図示されている。このうち、入力部１１を用いて機器２を操作機器（関心領域）として指定する。このとき、機器２の操作で影響を受ける範囲は、配管で接続された機器１，３であるので、図３（ｂ）に示すように機器１，２，３（一次接続機器）がデフォルメ表示されて拡大表示される。なお、本実施の形態では、デフォルメ表示として拡大表示を用いたが、本発明はこれに限られず、例えば対象機器の表示色を変更しても良い。また、デフォルメの対象機器をより強調するために、対象機器の拡大表示に加えて、表示色の変更も併用しても良い。
【００２３】
一方、図３（ｂ）に示すように、一次接続機器以外の領域は、非デフォルメ領域であるため、図面変形部２１の非強調データ生成機能により、図３（ａ）に比べて尺度が小さくなるように変更されている。つまり、デフォルメ領域である一次接続機器の拡大に伴い、表示スペースを確保する等の調整が必要となるため、非デフォルメ領域の尺度を調整している。
【００２４】
以上のように、本実施の形態に係るデフォルメ条件であれば、図面内の機器操作に伴う影響範囲のみをデフォルメ表示できるため、機器操作時の注目エリアへ視線を誘導できる利点がある。さらに、実施の形態２と比較して、機器操作の影響をより広範囲で把握することが容易となる。
【００２５】
（実施の形態４）
図４（ａ）（ｂ）に、本実施の形態に係るプラント情報表示装置で実施するデフォルメ処理の模式図を示す。図４（ａ）（ｂ）に示すデフォルメ処理は、機器を操作したことに伴い影響を受ける範囲についてデフォルメ表示し、操作機器の影響が及ばない範囲、又は影響が少ない範囲について抽象化している。
【００２６】
図４（ａ）では、機器１に並列的に接続された機器２，３と、機器４に直列的に接続された機器５，６との２つの系統が図示されている。このうち、入力部１１を用いて機器２を操作機器（関心領域）として指定する。このとき、機器２の操作で影響を受ける範囲は、配管で接続された機器１，３であるので、図４（ｂ）に示すように機器１，２，３（一次接続機器）がデフォルメ表示されて拡大表示される。なお、本実施の形態では、デフォルメ表示として拡大表示を用いたが、本発明はこれに限られず、例えば対象機器の表示色を変更しても良い。また、デフォルメの対象機器をより強調するために、対象機器の拡大表示に加えて、表示色の変更も併用しても良い。
【００２７】
一方、図４（ｂ）に示すように、一次接続機器以外の領域（操作機器の影響が及ばない範囲、又は影響が少ない範囲）は、非デフォルメ領域であるため、図面変形部２１により、機器４，５，６をボックス７のように縮約して抽象化する。ボックス７は、図４（ｂ）に示すように系統を表現する名称及び記号などを用いて、その意味が判別可能となっている。なお、デフォルメ対象をより強調するために、ボックス７をモノクロ表示とすることも考えられる。
【００２８】
以上のように、本実施の形態に係る図面変形部２１での処理を用いることで、図面内の機器操作に伴い影響が及ばない範囲、又は影響が少ない範囲をボックス７のように縮約して抽象化した表示とすることができるため、機器操作時の注視領域のような、機器操作者にとって本来必要なる重要情報をより分かりやすく、明示的に表示でき、視認性が良くなる。
【００２９】
（実施の形態５）
図５（ａ）（ｂ）に、本実施の形態に係るプラント情報表示装置で実施するデフォルメ処理の模式図を示す。図５（ａ）（ｂ）に示すデフォルメ処理は、機器操作が必要な場面において、操作対象機器のみならず、当該機器の操作後に操作が必要となる可能性が高い機器（以下、継続操作機器ともいう）もデフォルメ表示する。なお、継続操作機器は、過去の運転実績データ、プラント状態及び現在のプラント状態に類似した事象の運転手順書などをもとに領域判定部１２により判定される。
【００３０】
図５（ａ）では、機器１に並列的に接続された機器２，３と、機器４に直列的に接続された機器５，６との２つの系統が図示されている。このうち、入力部１１を用いて機器２を操作機器（関心領域）として指定する。このとき、機器２の操作後に操作が必要となる可能性が高い機器（継続操作機器）は、図５（ｂ）の場合、機器３と判定されるので、図５（ｂ）に示すように機器１，３がデフォルメ表示されて拡大表示される。なお、本実施の形態では、デフォルメ表示として拡大表示を用いたが、本発明はこれに限られず、例えば対象機器の表示色を変更しても良い。また、デフォルメの対象機器をより強調するために、対象機器の拡大表示に加えて、表示色の変更も併用しても良い。
【００３１】
一方、図５（ｂ）に示すように、機器１，３以外の領域は、非デフォルメ領域であるため、図面変形部２１により、図５（ａ）に比べて尺度が変更されている。つまり、デフォルメ領域である一次接続機器の拡大に伴い、表示スペースを確保する等の調整が必要となるため、非デフォルメ領域の尺度を調整している。
【００３２】
以上のように、本実施の形態に係るデフォルメ条件であれば、継続操作機器をデフォルメ表示するため、注視すべき領域への誘導が容易になる上、継続操作機器近傍に表示されるパラメータを参照して現在の機器操作の妥当性も判断でき、プラントを効率的に運転できる。
【００３３】
（実施の形態６）
図６（ａ）（ｂ）に、本実施の形態に係るプラント情報表示装置で実施するデフォルメ処理の模式図を示す。図６（ａ）（ｂ）に示すデフォルメ処理は、機器操作設定画面１０を表示した場合に、表示エリアが小さくなった機器の系統を示す図面９を対象としている。
【００３４】
まず、図６（ａ）に示すように、操作器８を押して操作対象である機器２を選択する。次に、機器２の機器操作設定画面１０が画面に表示されるに伴い、機器の系統を示す図面９は縮小される。図面変形部２１のデフォルメ機能は、図６（ｂ）のように縮小された機器の系統を示す図面９に合わせて、表示される機器１〜６及び配線等を表示可能なサイズに変更し、暫定的な縮小比率を算出する。その後、領域判別部１５により区分けされたデフォルメ対象領域に対してデフォルメを行う。図６（ｂ）では、操作機器である機器２のみを拡大表示する。
【００３５】
一方、図６（ｂ）に示すように、機器２以外の領域は、非デフォルメ領域であるため、図面変形部２１の非強調データ生成機能により、デフォルメされた機器２のサイズを考慮して、暫定的な縮小比率を再計算して非デフォルメ対象領域の縮小比率を変更する。
【００３６】
なお、図６（ａ）（ｂ）では、機器の系統を示す図面９と同時に表示される画面は機器操作設定画面１０としたが、本発明はこれに限られず、機器の操作設定画面や機器パラメータ表示画面を含むプラント運転に必要な複数の画面でも良い。
【００３７】
以上のように、本実施の形態に係るデフォルメ条件であれば、機器操作設定画面１０等を同一画面に表示する場合でも、全ての情報を隠すことなく単一画面へ表示できるため、マルチスクリーン利用時と比較して動線移動がより少ない状態で、プラント状態を把握できる。
【００３８】
（実施の形態７）
図７（ａ）〜（ｃ）は、領域判別部１５において、デフォルメ対象領域と非デフォルメ対象領域とを区分けする方法を説明するための図である。なお、図７（ａ）〜（ｃ）では、説明を簡単にするため、デフォルメ対象領域が操作対象機器のみの場合について説明するが、本発明はこれに限定されない。
【００３９】
図７（ａ）では、機器２１にツリー状に接続された機器２２〜２６と、機器３１に並列的に接続された機器３２，３３と、機器３５と，機器３６との４つの系統が図示されている。そして、図７（ａ）において機器２４を操作対象機器とした場合、領域判別部１５は、まず図面のＹ軸に平行な２本の線分をそれぞれ仮想的に生成する（以下、この平行線分を仮想線分ともいう）。Ｙ軸に平行な仮想線分のうち、１本目（図の左側）の仮想線分４１を、操作対象機器である機器２４の一部と最初に接するＸ座標値までＹ軸と平行に左側から右側まで移動させ、２本目（図の右側）の仮想線分４２も機器２４と最後に接するＸ座標値までＹ軸と平行に移動させる（図７（ｂ））。図７（ｂ）のように機器２４を挟んだ仮想線分４１，４２が、他の機器を表現する図形要素（以下、機器シンボルともいう）と交差する場合、当該交差を解消するように、機器シンボルの境界４０に沿って仮想線分４１，４２を折れ線化する（図７（ｃ））。
【００４０】
以上の処理により、図７（ｃ）に示すように２つの非デフォルメ対象領域４３，４４が生成される。一方、図７（ｃ）に示す２本の折れ線の仮想線分４１，４２の幾何情報（例えばａ＜Ｙ＜ｂではＸ＝ｐ，ｃ＜Ｙ＜ｄではＸ＝ｑからなる仮想線分の折れ線方程式）を用いて２本の仮想線分に挟まれた線分要素（以下、被分断線分４５ともいう）が抽出される。この処理により、被分断線分４５がデフォルメ対象領域となる。
【００４１】
なお、前述のＹ軸に平行な線分の変わりにＸ軸に平行な線分を用いても区分け可能である。さらにＸ軸に平行な線分及びＹ軸に平行な線分の計４本の線分を用いて、より細かく領域を分割して区分けすることも可能である。さらに、実施の形態５で示したように、操作対象機器と次に操作する可能性の高い機器とをデフォルメ処理する場合でも、それぞれの機器について上記の区分け処理を適用することにより同様なデフォルメ処理が可能となる。
【００４２】
以上のように、本実施の形態に係る領域分割部１５は、関心領域である操作対象の機器２を挟む仮想線分４１，４２と、他の機器の境界４０とに基づいて図面データをデフォルメ対象領域と非デフォルメ対象領域とに分けるので、図面を複数の領域に容易に区分けできる。
【００４３】
（実施の形態８）
図８（ａ）（ｂ）は、領域判別部１５において、デフォルメ対象領域と非デフォルメ対象領域とを区分けする方法を説明するための図である。特に、本実施の形態では、操作対象機器、操作対象機器に直接接続する複数の機器群（一次接続機器）や機器同士を接続する配管群をデフォルメ表示するためにデフォルメ対象領域と非デフォルメ対象領域とを区分けする。
【００４４】
設備間の論理的な接続情報に基づき、操作対象機器及び一次接続機器が抽出可能である。操作対象機器及び一次接続機器及びその配管は、領域分割１５において、例えば各機器や配管を表現する機器シンボルの座標値、回転角度等の幾何情報に基づいて、機器シンボルを含む閉矩形領域に自動生成される。
【００４５】
具体的に、図８（ａ）を用いて説明する。図８（ａ）では、機器２１にツリー状に接続された機器２２〜２６と、機器３１に並列的に接続された機器３２，３３と、機器３５と，機器３６との４つの系統が図示されている。そして、図８（ａ）では、機器２３を捜査対象機器とし、機器２３に直接接続される機器２１，２２，２４を一次接続機器としている。この機器２１，２２，２３，２４及びそれぞれの間に設けられた配管の幾何情報に基づき、領域分割部１５は、図８（ａ）のように機器２１，２２，２３，２４に対して４つの閉矩形領域５１と、配管に対して３つの閉矩形領域５２がそれぞれ生成される。
【００４６】
次に、領域分割部１５は、生成された７つの閉矩形領域５１，５２の和集合を求めることにより、図８（ｂ）のように最小のデフォルメ対象領域４６が判定される。デフォルメ対象領域４６以外の領域が、非デフォルメ対象領域４３，４４となる。このデフォルメ対象領域４６に対して実施の形態３を適用すれば、操作機器対象（機器２３）及び一次接続機器（機器２１，２２，２４）に対してデフォルメ処理を実行することができる。なお、本実施の形態に係る領域分割部１５では、和集合を求めることでデフォルメ対象領域４６を判定したが、本発明はこれに限られず、７つの閉矩形領域５１，５２を全て含む閉矩形領域をデフォルメ対象領域と判定しても良い。
【００４７】
以上のように、本実施の形態に係る領域分割部１５は、関心領域である機器２３、機器２３に直接接続される機器２１，２２，２４、及び機器２３と他の機器２１，２２，２４とを繋ぐ配管のそれぞれを閉矩形領域５１，５２として指定すると共に、閉矩形領域５１，５２の和集合を求め、当該和集合の領域をデフォルメ対象領域とするので、容易にデフォルメ対象領域を決定できる。
【００４８】
（実施の形態９）
図９（ａ）（ｂ）は、本実施の形態に係る図面変形部２１における非デフォルメ対象領域の処理について説明するための図である。まず、図９（ａ）は、実施の形態７又は実施の形態８により区分けされた非デフォルメ対象領域４３と非デフォルメ対象領域４４、デフォルメ対象領域４６（黒の塗りつぶしがある機器シンボル（操作対象機器）を含む）を示す。図面変形部２１のデフォルメ機能は、拡大、縮小、回転及び色替などの様々な強調方法によりデフォルメ対象領域をデフォルメする。
【００４９】
一方、図面変形部２１は、図面の表示領域や縦横比等を考慮して、非デフォルメ対象領域の図面データを、デフォルメ後のデフォルメ対象領域の図面データとの整合を図るために尺度を変更する。なお、図面変形部２１の非強調データ生成機能の尺度は、ユーザの所望の尺度に変更することも可能であるが、最終的にデフォルメ後のデフォルメ対象領域の図面データと非デフォルメ対象領域の図面データとを組み合わせて図面として再構築することができる範囲に制限される。
【００５０】
以上のように、図９（ａ）（ｂ）に示すような処理を行うので、図面を細分化し、細分化された領域のそれぞれに対してデフォルメ処理を施すことができ、ユーザの所望する表示形態に応じたデフォルメされた図面を生成できる。
【００５１】
（実施の形態１０）
図１０（ａ）〜（ｃ）は、本実施の形態に係る図面変形部２１の非強調データ生成機能における非デフォルメ対象領域の処理について説明するための図である。まず、図１０（ａ）では、図面６０が領域分割部１５により、デフォルメ対象領域６１と非デフォルメ対象領域６２とに区分けされている。そして、図１０（ａ）では、デフォルメ対象領域６１が図面変形部２１のデフォルメ機能により拡大表示される場合について説明する。
【００５２】
まず、デフォルメ対象領域６１の表示サイズを、指定された拡大倍率又はマウス操作などにより決定される。次に、本実施の形態に係る図面変形部２１は、図１０（ｂ）に示すように、表示サイズ変更前のデフォルメ対象領域６１の位置関係に基づき、非デフォルメ対象領域６２を複数の領域に分割する。つまり、デフォルメ対象領域６１の各辺を利用して、非デフォルメ対象領域６２を複数の領域に分割している。図１０（ｂ）では、非デフォルメ対象領域６２を、Ａ，Ｂ，Ｃ，Ｄ，Ｅ，Ｆ，Ｇ，Ｈの８つの領域に分割されている。
【００５３】
次に、本実施の形態に係る図面変形部２１は、デフォルメ処理後の表示サイズに基づいて、図１０（ｃ）のように、非デフォルメ対象領域６２を複数の領域に分割する。そして、本実施の形態に係る図面変形部２１の非強調データ生成機能は、デフォルメ処理前後における分割領域の対応関係（図１０（ｂ）と図１０（ｃ）との比較）に基づき各領域（Ａ，Ｂ，Ｃ，Ｄ，Ｅ，Ｆ，Ｇ，Ｈの８つの領域）のＸ,Ｙ方向それぞれの尺度を算出する。
【００５４】
算出した尺度に基づき、本実施の形態に係る図面変形部２１は、各領域の非デフォルメ対象領域６２の図面データに対して縮小等の変更を行う。例えば、図１０（ｃ）に示すようにデフォルメ処理後、領域Ｃはデフォルメ処理前に比べて一層横長になり、領域Ｆは一層縦長になる。
【００５５】
以上のように、本実施の形態に係る図面変形部２１の非強調データ生成機能は、非デフォルメ対象領域を複数の領域に分け、デフォルメ処理の前後で各領域の尺度を算出し、当該尺度に基づき各領域の非デフォルメ対象領域の図面データを変更するので、表示エリアのサイズに基づいたデフォルメ処理が容易となり、図面生成コストが低減できる。なお、図面変形部２１のデフォルメ機能が縮小表示する場合についても同様の処理を行うことができる。
【００５６】
（実施の形態１１）
図１１（ａ）〜（ｃ）は、本実施の形態に係る図面変形部２１の非強調データ生成機能における非デフォルメ対象領域の処理について説明するための図である。まず、図１１（ａ）では、図面６０が領域分割部１５により、デフォルメ対象領域６１と非デフォルメ対象領域６２とに区分けされている。なお、実施の形態１０と異なり、本実施の形態に係るデフォルメ対象領域６１の形状が凸型矩形である。そして、図１１（ａ）では、デフォルメ対象領域６１が図面変形部２１のデフォルメ機能により拡大表示される場合について説明する。
【００５７】
まず、デフォルメ対象領域６１の表示サイズを、指定された拡大倍率又はマウス操作などにより決定される。次に、本実施の形態に係る図面変形部２１の非強調データ生成機能は、図１１（ｂ）に示すように、表示サイズ変更前のデフォルメ対象領域６１の位置関係に基づき、非デフォルメ対象領域６２を複数の領域に分割する。図１１（ａ）のようにデフォルメ対象領域６１が凸型矩形の場合、図１０（ｂ）とは異なり横方向及び縦方向の２つの方向での分割が可能である。
【００５８】
つまり、デフォルメ対象領域６１の横方向の各辺を利用して、図１１（ｂ）のように領域Ｂ，Ｄ，Ｅと非デフォルメ対象領域６２を分割する場合と、デフォルメ対象領域６１の縦方向の各辺を利用して、図１１（ｄ）のように領域Ｂ，Ｃ，Ｄと非デフォルメ対象領域６２を分割する場合とが考えられる。図１１（ｂ）では、非デフォルメ対象領域６２を、Ａ，Ｂ，Ｃ，Ｄ，Ｅ，Ｆ，Ｇ，Ｈの８つの領域に分割され、図１１（ｄ）では、非デフォルメ対象領域６２を、Ａ，Ｂ，Ｃ，Ｄ，Ｅ，Ｆの６つの領域に分割される。なお、上述した分割方向については、事前に規定しておく方法以外に、Ｘ方向とＹ方向とで異なる尺度変更を行うことで歪な形状となるシンボル個数を考慮して分割方向を選択しても良い。
【００５９】
次に、本実施の形態に係る図面変形部２１の非強調データ生成機能は、デフォルメ処理後の表示サイズに基づいて、図１１（ｃ）又は図１１（ｅ）のように、非デフォルメ対象領域６２を複数の領域に分割する。そして、本実施の形態に係る図面変形部２１の非強調データ生成機能は、デフォルメ処理前後における分割領域の対応関係（図１１（ｂ）と図１１（ｃ）との比較、又は図１１（ｄ）と図１１（ｅ）との比較）に基づき各領域（Ａ，Ｂ，Ｃ，Ｄ，Ｅ，Ｆ，Ｇ，Ｈの８つの領域、又はＡ，Ｂ，Ｃ，Ｄ，Ｅ，Ｆの６つの領域）のＸ,Ｙ方向それぞれの尺度を算出する。
【００６０】
算出した尺度に基づき、本実施の形態に係る図面変形部２１は、各領域の非デフォルメ対象領域６２の図面データに対して縮小等の変更を行う。例えば、図１１（ｃ）に示すようにデフォルメ処理後、領域Ｇはデフォルメ処理前に比べて一層横長になる。また、図１１（ｅ）に示すようにデフォルメ処理後、領域Ｅはデフォルメ処理前に比べて一層横長になり、領域Ｄは一層縦長になる。
【００６１】
以上のように、本実施の形態では、実施の形態１０と同様に、図面を仮想的に複数領域に分割し、デフォルメ処理前後において各領域の尺度を算出できるため、表示エリアのサイズに基づいたデフォルメ処理が容易となり、図面生成コストが低減できる。なお、本実施の形態では、デフォルメ対象領域６１の形状が凹型矩形である場合や、図面変形部２１のデフォルメ機能が縮小表示する場合についても同様の処理を行うことができる。
【００６２】
（実施の形態１２）
図１２（ａ）〜（ｄ）は、実施の形態１０又は実施の形態１１により変更された非デフォルメ対象領域の分割された領域に対する処理を説明するための図である。図１２（ａ）のように非デフォルメ対象領域の分割された領域を縦長になるように尺度を変更する場合に、当該領域の図面データに対して、図１２（ｂ）〜（ｄ）の３つの異なる処理が考えられる。
【００６３】
まず、図１２（ｂ）では、分割された領域を縦長になるように変更した尺度に合わせて、当該領域に含まれる機器シンボル（図面データ）も変更している。図１２（ｂ）のように処理した場合、同じ尺度を利用するため容易であるが、機器シンボルの形状が縦長又は横長になり、もとの形状と大きく異なる。
【００６４】
図１２（ｃ）では、分割された領域に含まれる機器シンボル（図面データ）のうち、配管を表現する線分又は折れ線のシンボルは当該領域の尺度に合わせて変更し、弁などを表現するシンボルはＸ方向又はＹ方向のうちいずれか小さい方の当該領域の尺度で等倍変更する。図１２（ｃ）のように処理した場合、弁などを表現するシンボルの形状がもとの形状と相似となるが、配管を表現するシンボルと弁などを表現するシンボルとの間に不連続な部分７０が生じるため補間処理が必要となる。
【００６５】
図１２（ｄ）では、分割された領域に含まれる機器シンボル（図面データ）の全てを、Ｘ方向又はＹ方向のうちいずれか小さい方の当該領域の尺度で等倍変更する。図１２（ｄ）のように処理した場合、機器シンボルの全ての形状がもとの形状と相似となるが、隣接する領域間との間に不連続な部分７１が生じるため補間処理が必要となる。
【００６６】
以上のように、本実施の形態では、分割した領域の機器シンボル（図面データ）について、必要に応じて尺度を変更することができ、図面生成に対して柔軟に対応できる。
【００６７】
（実施の形態１３）
図１３（ａ）〜（ｃ）は、実施の形態１０又は実施の形態１１により変更された非デフォルメ対象領域の分割された領域に対する処理を説明するための図である。図１３（ａ）は、図１０（ｂ）と同様、非デフォルメ対象領域６２を、Ａ，Ｂ，Ｃ，Ｄ，Ｅ，Ｆ，Ｇ，Ｈの８つの領域に分割している。この図１３（ａ）に示すデフォルメ対象領域６１を拡大するデフォルメ処理を行う場合に、分割した各領域に対してマウスなどにより任意の形状に変更する。図１３（ａ）では、領域Ｃと領域Ｈとを縮小する例が図示されている。
【００６８】
各領域に対して変更処理を行った後の図面は、図１３（ｂ）のようになる。図１３（ｂ）では、隣接する領域間が不連続となっているため、図面変形部２１は、設備間の論理的な接続情報に基づいて、図１３（ｃ）に示すように線分や折れ線などの図形要素７５を用いて補間する。なお、本実施の形態では、デフォルメ対象領域６１の形状が矩形の場合について説明したが、本発明はこれに限られず、凸型矩形や凹型矩形でも良い。
【００６９】
以上のように、本実施の形態では、図面変形部２１の非強調データ生成機能が非デフォルメ対象領域６２を複数に分けた領域を任意に変更した後、図面変形部２１が、位相情報の論理的な接続情報に基づいて、非デフォルメ対象領域６２を複数に分けた領域間、及びデフォルメ対象領域との間を図形要素で補間接合するので、各領域単位での形状変形が可能となり、定期点検結果や事故結果のような特定のエリア又は設備に着目した図面を容易に作成でき、業務の効率化が図れる。
【００７０】
（実施の形態１４）
図１４（ａ）〜（ｄ）は、デフォルメ対象領域と非デフォルメ対象領域との組み合わせ方式を説明するための図である。図１４（ａ）では、実施の形態９で説明した処理が施されており、デフォルメ対象領域４６は拡大表示するデフォルメ処理が行われ、非デフォルメ対象領域４３，４４には尺度変更が行われている。
【００７１】
これらの領域群を組み合わせる場合は、設備間の論理的接続情報に基づき、各領域を接合する。例えば、デフォルメ対象領域４６と接続する線分を非デフォルメ対象領域４３から位相情報に基づき抽出した後、その線分に接続するデフォルメ対象領域４６が隣接するように領域同士を接合する。
【００７２】
各領域を接合後の図面を、図１４（ｂ）に示す。図１４（ｂ）では、領域同士の重なり８１や被分断線分の欠落８２等が発生しており完全な図面ではない。そこで、重なり部分８１については、いずれか一方の領域を平行移動させることにより重なりを除去する。また、被分断線分の欠落８２については、線分を補間することにより欠落部分を補う。その結果、図１４（ｃ）のような図面が生成され、被分断線分の欠落を補う線分８３が図示されている。
【００７３】
しかし、図１４（ｃ）では、図１４（ｂ）の領域同士の重なり８１を解消するために、いずれか一方の領域を平行移動させるので隙間８４が発生している。そのため、最終的には、その隙間８４を線分で補間することが必要となる。図１４（ｄ）では、線分８５を用いて隙間８４を補完することで、隣接領域同士を接合している。
【００７４】
原則として、補間すべき図形要素は、配管を表現する図形要素に従うこととするが、ユーザが任意に指定する図形要素を用いて接合することも可能である。さらに、既に存在する図形要素に対して、同種の図形要素を追加して補間する場合、複数の図形要素を集約することもできる。例えば、既存の線分と追加する線分との２本の線分が存在する場合、それらの線分の両端を接合して１本の線分にすることもできる。
【００７５】
以上のように、本実施の形態では、デフォルメ対象領域と非デフォルメ対象領域とを任意の場所の配置した場合でも、隣接する領域同士の位相状態を変更することなく接合できるため、ユーザが望む任意の図面を再構築できる。
【００７６】
（実施の形態１５）
図１５（ａ）（ｂ）に、本実施の形態に係るプラント情報表示装置で実施する図面変形処理の模式図を示す。図１５（ａ）（ｂ）に示す図面変形処理は、機器操作に先立ち機器操作用の画面が表示される場面、または、各機器のパレメータの時間的な変遷を確認するためにグラフを表示する場面において、画面やグラフとすでに表示されている図面を重ねて表示することのないように、図形を移動、変形する。
【００７７】
図１５（ａ）は図面変形前の状態を示す。図１５（ａ）では、機器１１１，１１２および機器１１５の系統、および、機器１１３，機器１１４および機器１１６の系統の２つの系統が図示されている。
【００７８】
図１５（ｂ）に示すように、すでに図１５（ａ）が表示されている状態で、パラメータ監視用のグラフ１２１および機器操作用の画面１２２が表示される場合、まず、グラフまたは機器操作画面の表示領域に完全に含まれるシンボル、または領域と交差するシンボルが抽出される。さらに領域内と領域外にまたがるシンボルもあわせて抽出される。この例では、領域に含まれるまたは交差するシンボルとして機器１１２および機器１１３が、領域内と領域外をまたがるシンボルとして配管１１７が抽出される。この時、機器１１２と配管１１７は相互に接続しているという情報（以後、相互接続情報と呼ぶ）も保持する。更に機器１１３と配管１１８の相互接続情報も保持する。次に、抽出されたシンボルのうち、領域に近いシンボルから順に領域に含まれない、または交差しないように領域外へ移動させる処理を施す。図１５（ｂ）では、機器１１２、機器１１３の順に処理される。次に、相互接続情報に従い、配管１１７の端点を移動後の機器１１２に接続するように移動させる。一方、機器１１３の移動に伴い配管１１８の端点も移動した場合、移動後の位置を考慮して線分を折れ線化して接続する。もちろん単純に端点を移動させて斜め線分として描画することも可能である。
【００７９】
以上のように、本実施の形態に係る図面変形であれば、全ての情報をお互いが重ならないように表示できるため、視認性を妨げることなくプラント状態を把握できる利点がある。
【００８０】
（実施の形態１６）
図１６（ａ）（ｂ）に、本実施の形態に係るプラント情報表示装置で実施する図面変形およびデフォルメ処理の模式図を示す。図１６（ａ）（ｂ）に示す図面変形およびデフォルメ処理は、機器操作に先立ち機器操作用の画面が表示される場面、または、各機器のパレメータの時間的な変遷を確認するためにグラフを表示する場面において、画面やグラフとすでに表示されている図面を重ねて表示することのないように、図形を移動、変形するとともに、図面内で着目したいシンボルを強調表示する。
【００８１】
図１６（ａ）は図面変形およびデフォルメ前の状態を示す。図１６（ａ）では、機器１１１，１１２および機器１１５の系統、および、機器１１３、機器１１４および機器１１６の系統の２つの系統が図示されている。
【００８２】
図１６（ｂ）に示すように、すでに図１６（ａ）が表示されている状態で、パラメータ監視用のグラフ１２１および機器操作用の画面１２２が表示される場合、まず、グラフまたは機器操作画面の表示領域に完全に含まれるシンボル、または領域と交差するシンボルが抽出される。さらに領域内と領域外にまたがるシンボルもあわせて抽出される。この例では、領域に含まれるまたは交差するシンボルとして機器１１２および機器１１３が、領域内と領域外をまたがるシンボルとして配管１１７が抽出される。この時、機器１１２と配管１１７は相互に接続しているという情報（以後、相互接続情報と呼ぶ）も保持する。更に機器１１３と配管１１８の相互接続情報も保持する。次に、抽出されたシンボルのうち、領域に近いシンボルから順に領域に含まれない、または交差しないように領域外へ移動させる処理を施す。図１５（ｂ）では、機器１１２、機器１１３の順に処理される。次に、相互接続情報に従い、配管１１７の端点を移動後の機器１１２に接続するように移動させる。一方、機器１１３の移動に伴い配管１１８の端点も移動した場合、移動後の位置を考慮して線分を折れ線化して接続する。もちろん単純に端点を移動させて斜め線分として描画することも可能である。その後、入力部により入力されたプラントにおける関心領域及びデフォルメ条件、または、領域判定部により特定された次に操作すべき機器や操作に伴い影響を受ける機器群または範囲についての情報に従い、機器１１５がデフォルメ表示される。
【００８３】
以上のように、本実施の形態に係る図面変形であれば、全ての情報をお互いが重ならないように表示できる上、作業者が着目している機器や範囲などを強調表示できるため、視認性を妨げることなく、かつ注目すべき個所へ視線を誘導できる利点がある。
【００８４】
（実施の形態１７）
図１７（ａ）（ｂ）（ｃ）（ｄ）に、本実施の形態に係るプラント情報表示装置で実施する図面変形の一例を示す。図１７（ａ）（ｂ）（ｃ）（ｄ）では、機器操作に先立ち機器操作用の画面が表示される場面、または、各機器のパレメータの時間的な変遷を確認するためにグラフを表示する場面において、画面やグラフとすでに表示されている図面を重ねて表示することのないように、図形を移動、変形する処理の概要を示す。
【００８５】
図１７（ａ）は図面変形前の状態を示す。図１７（ａ）では、機器１１１、１２および機器１１５の系統、および、機器１１３、機器１１４および機器１１６の系統の２つの系統が図示されている。
【００８６】
図１７（ｂ）に示すように、すでに図１７（ａ）が表示されている状態で、パラメータ監視用のグラフ１２１が表示される場合、まず、グラフまたは機器操作画面の表示領域に完全に含まれるシンボル、または領域と交差するシンボルが抽出される。さらに領域内と領域外にまたがるシンボルもあわせて抽出される。この例では、領域に含まれるまたは交差するシンボルとして機器１１２および機器１１３が、領域内と領域外をまたがるシンボルとして配管１１７が抽出される。この時、機器１１２と配管１１７は相互に接続しているという情報（以後、相互接続情報と呼ぶ）も保持する。更に機器１１３と配管１１８，配管１１９の相互接続情報も保持する。次に、抽出されたシンボルのうち、領域に近いシンボルから順に領域に含まれない、または交差しないように領域外へ移動させる処理を施す。図１７（ｂ）では、機器１１２、機器１１３の順に処理される。次に、相互接続情報に従い、配管１１７の端点を移動後の機器１１２に接続するように移動させる。
【００８７】
図１７（ｃ）は移動後の状態を示す。機器１１２が図面左側へ移動したことに伴い、図１７（ｃ）の丸印１２２の箇所で機器１１４との干渉が発生するため、機器１１４が図面左下へ移動する。引き続き、移動後の機器１１４との干渉を避けるために機器１１５が図面左下へ移動する。一方、図１７（ｃ）の丸印１２３の箇所では、機器１１３と配管１１９とが干渉している。そこで、配管１１９の端点のうち、干渉している端点のみを機器１１３と接続するように移動させる。配管１１９の端点移動においては、機器１１６と干渉が発生しないため、機器１１６を移動させる必要はない。次に、配管１１８も機器１１３に正しく接続するように端点を移動させる。この結果、図１７（ｄ）に示す通り、系統図とグラフを互いに重なることなく表示することができる。なお、移動の際は、移動距離が最小となるようにする。移動の方法としては、上述の方法のみならず、他のシンボルと干渉することなく、図面内でシンボルを配置可能なスペースを見つけて移動させる方法もある。また、画面表示領域の制約により、元図全体が画面に納まりきらない場合、各シンボルを縮小しながら図面を変形することも可能である。
【００８８】
変形方法は、対象領域外へ移動させるシンボルを、図１７（ａ）内のグラフ１２１の表示領域の重心から表示領域外へ移動させるべきシンボルへの位置ベクトルの方向へ遠ざける方法である。この方法では、シンボルは領域重心から見て放射状に遠ざかることになる。もちろん、遠ざける方向を量子化することも可能であり、例えば、上下左右の４方向やさらに粒度を細かくした８方向などへ量子化してもよい。
【００８９】
以上のように、本実施の形態に係る図面変形であれば、既表示図面が規定された表示領域に納まるように、かつ全ての情報をお互いが重ならないように表示できる利点がある。
【００９０】
（実施の形態１８）
図１８（ａ）,（ｂ）,（ｃ）に、本実施の形態に係るプラント情報表示装置で実施する、トポロジーを保持した状態での図形変形処理の模式図を示す。図１８（ａ）,（ｂ）,（ｃ）に示すトポロジーを保持した図面変形処理は、領域分割部により図面を複数の領域に分割したのち、領域間のトポロジーを保持したまま、領域を移動、変形させる。ここで変形とは図18（ｃ）に示すように、縦横方向へ同一の割合で領域全体の尺度変更すること以外に、領域の回転や領域内の特定要素のデフォルメに伴う領域変更等を指す。
【００９１】
図１８（ａ）は領域分割部により分割された状態を示す。図１８（ａ）では、中央に描画された機器１３０をデフォルメする場合、領域分割部により非デフォルメ対象領域として領域１３１および領域１３２が生成される。図１８（ｂ）は非デフォルメ対象領域および領域間を接続する線分を模式的示す。ここで描画されている線分の役割は実施の形態１４で記載されている。図１８（ｃ）は非デフォルメ領域である領域１３２を移動または変形した場合の線分の描画例を示す。線分は、移動および変形前の領域１３２と線分と位置関係を保持したまま、領域１３２の移動や変形に追従する。
【００９２】
以上のように、本実施の形態に係るトポロジーを保持したままの図面変形であれば、領域分割部により分割された領域を、トポロジーを意識することなく個別に移動、変形させることができる上、移動および変形後に元図と同様なトポロジーを確保するために、改めて線分を描画する必要がない利点がある。
【００９３】
（実施の形態１９）
図１９（ａ）（ｂ）に、本実施の形態に係るプラント情報表示装置で実施する位相情報に基づく操作影響範囲の特定についての模式図を示す。
【００９４】
図１９（ａ）の機器１１１の操作に伴う影響範囲を特定する場合、機器１１１の幾何情報から、機器１１１に接続する他の図形要素を抽出する。この処理により図１９（ａ）における○印を一方の端点とする線分が抽出される。次に各線分について接続要素を判定し特定の機器を抽出するまで処理を継続する。その結果、図１９（ｂ）に示す機器１１２、機器１１３および機器１１４が抽出され、この時点で機器１１１と機器群との論理的な接続情報が生成される。
【００９５】
以上のように、本実施の形態に係る位相情報に基づく操作影響範囲の特定によれば、操作対象機器の影響範囲を動的に強調表示できる行えるため、操作対象や影響度合いを確認しながら安全に機器操作を行うことができる利点がある。
【図面の簡単な説明】
【００９６】
【図１】本発明の実施の形態１に係るプラント情報表示装置のブロック図である。
【図２】本発明の実施の形態２に係るプラント情報表示装置のデフォルメ条件を説明するための図である。
【図３】本発明の実施の形態３に係るプラント情報表示装置のデフォルメ条件を説明するための図である。
【図４】本発明の実施の形態４に係るプラント情報表示装置のデフォルメ条件を説明するための図である。
【図５】本発明の実施の形態５に係るプラント情報表示装置のデフォルメ条件を説明するための図である。
【図６】本発明の実施の形態６に係るプラント情報表示装置のデフォルメ条件を説明するための図である。
【図７】本発明の実施の形態７に係るプラント情報表示装置の領域判別を説明するための図である。
【図８】本発明の実施の形態８に係るプラント情報表示装置の領域判別を説明するための図である。
【図９】本発明の実施の形態９に係るプラント情報表示装置の領域判別を説明するための図である。
【図１０】本発明の実施の形態１０に係るプラント情報表示装置の非強調データ生成を説明するための図である。
【図１１】本発明の実施の形態１１に係るプラント情報表示装置の非強調データ生成を説明するための図である。
【図１２】本発明の実施の形態１２に係るプラント情報表示装置の非強調データ生成を説明するための図である。
【図１３】本発明の実施の形態１３に係るプラント情報表示装置の補間を説明するための図である。
【図１４】本発明の実施の形態１４に係るプラント情報表示装置の補間を説明するための図である。
【図１５】本発明の実施の形態１５に係るプラント情報表示装置の補間を説明するための図である。
【図１６】本発明の実施の形態１６に係るプラント情報表示装置の補間を説明するための図である。
【図１７】本発明の実施の形態１７に係るプラント情報表示装置の補間を説明するための図である。
【図１８】本発明の実施の形態１８に係るプラント情報表示装置の補間を説明するための図である。
【図１９】本発明の実施の形態１９に係るプラント情報表示装置の補間を説明するための図である。
【符号の説明】
【００９７】
１〜６  機器、７  ボックス、８操作器、９  図面、１０  機器操作設定画面、１１  入力部、１２  領域判定部、１３  図面データ、１５  領域分割部、１９  図面出力部、２０  表示部、２１  図面変形部。
【図１】
0004749440.tif 000002
【図２】
0004749440.tif 000003
【図３】
0004749440.tif 000004
【図４】
0004749440.tif 000005
【図５】
0004749440.tif 000006
【図６】
0004749440.tif 000007
【図７】
0004749440.tif 000008
【図８】
0004749440.tif 000009
【図９】
0004749440.tif 000010
【図１０】
0004749440.tif 000011
【図１１】
0004749440.tif 000012
【図１２】
0004749440.tif 000013
【図１３】
0004749440.tif 000014
【図１４】
0004749440.tif 000015
【図１５】
0004749440.tif 000016
【図１６】
0004749440.tif 000017
【図１７】
0004749440.tif 000018
【図１８】
0004749440.tif 000019
【図１９】
0004749440.tif 000020